(57)【特許請求の範囲】
【請求項１】
電路に流れる電流によって磁化される固定電磁片と、短絡電流が流れたときに前記固定電磁片に吸引される可動電磁片と、前記可動電磁片に連動して接点開閉機構を開放動作させる合成樹脂製の掛合片とを備え、前記掛合片に前記可動電磁片を一体移動可能に取り付けて成り、
前記可動電磁片を前記固定電磁片から離れた待機位置に向けて付勢するバネ部材を、前記掛合片の長手方向中間部に設けた支点軸の周りに設け、
前記掛合片は前記支点軸に回動可能に支持されて、前記掛合片の一端側に前記可動電磁片を取り付けると共に、前記掛合片の他端側に前記接点開閉機構に係合するカム部を形成したことを特徴とする電磁引外し装置。
【発明の詳細な説明】
【技術分野】
【０００１】
本発明は、電路に短絡電流が流れたときに接点開閉機構を開放動作させる電磁引外し装置に関する。
【背景技術】
【０００２】
従来、回路遮断器において、固定電磁片と可動電磁を備えた電磁引外し装置が知られている。例えば、特許文献１には、図４に示すように、固定電磁片５１に蝶番片５２を介して可動電磁片５３を回動可能に取り付け、電路導体５４に短絡電流が流れたときに、固定電磁片５１により可動電磁片５３を吸引し、可動電磁片５３によって掛合片５５を駆動し、掛合片５５で接点開閉機構（図示略）を開放動作させて、電路を遮断する技術が記載されている。
【先行技術文献】
【特許文献】
【０００３】
【特許文献１】特開２０１０−２６２７８２号公報
【発明の概要】
【発明が解決しようとする課題】
【０００４】
ところが、従来の電磁引外し装置によると、電路の遮断により固定電磁片５１が消磁したときに、可動電磁片５３を待機位置に戻すための復帰バネ５６を蝶番片５２に設ける必要があった。また、復帰バネ５６は待機位置の可動電磁片５３の動きを許容するため、通電により励磁状態にある固定電磁片５１の振動が蝶番片５２を介して可動電磁片５３に伝わり、可動電磁片５３がうなり音を発生するという問題点もあった。
【０００５】
そこで、本発明の目的は、可動電磁片から専用の復帰バネを省略し、部品点数を削減できるとともに、可動電磁片のうなり音を防止できる電磁引外し装置を提供することにある。
【課題を解決するための手段】
【０００６】
上記課題を解決するために、本発明の電磁引外し装置は、電路に流れる電流によって磁化される固定電磁片と、短絡電流が流れたときに固定電磁片に吸引される可動電磁片と、可動電磁片に連動して接点開閉機構を開放動作させる合成樹脂製の掛合片とを備え、掛合片に可動電磁片を一体移動可能に取り付けて成り、可動電磁片を固定電磁片から離れた待機位置に向けて付勢するバネ部材を、掛合片の長手方向中間部に設けた支点軸の周りに設け、掛合片は支点軸に回動可能に支持されて、掛合片の一端側に可動電磁片を取り付けると共に、掛合片の他端側に接点開閉機構に係合するカム部を形成したことを特徴とする。
【発明の効果】
【０００８】
本発明の電磁引外し装置によれば、可動電磁片を掛合片に取り付け、掛合片に設けたバネ部材で可動電磁片を待機位置に向けて付勢するので、可動電磁片から専用の復帰バネを省いて、部品点数を削減できるとともに、可動電磁片のうなり音を防止できるという効果がある。
【図面の簡単な説明】
【０００９】
【図１】本発明の一実施形態を示す電磁引外し装置の斜視図である。
【図２】電路に正常値の電流が流れているときの電磁引外し装置の動作を示す機構図である。
【図３】電路に短絡電流が流れたときの電磁引外し装置の動作を示す機構図である。
【図４】従来の電磁引外し装置を示す機構図である。
【発明を実施するための形態】
【００１０】
以下、本発明の実施形態を図面に基づいて説明する。図１、図２に示すように、回路遮断器のケーシング１には電路を形成する導体２が内装され、導体２上に電磁引外し装置３が設置されている。電磁引外し装置３は、導体２に流れる電流で磁化される固定電磁片４と、短絡電流が流れたときに固定電磁片４に吸引される可動電磁片５と、可動電磁片５に連動して接点開閉機構６（一部のみを図示）を開放動作させる掛合片７とを備えている。接点開閉機構６としては、ハンドルと連携して接点を開閉する従来周知の各種機構を使用できる。
【００１１】
固定電磁片４は、磁性板を平面コ字形に折り曲げて形成され、内側に導体２が挿通され、可動電磁片５と対向する端面に斜状の吸着部９が設けられている。掛合片７は、合成樹脂材料で成形され、長手方向中間部の支点軸１０によりフレーム１１に回動可能に支持されている。可動電磁片５は、磁性板により四角形に形成され、熱カシメ１２により掛合片７の下端部に一体回動可能に取り付けられ、固定電磁片４から離れた待機位置（図２参照）と固定電磁片４に吸着された作用位置（図３参照）とに配置される。
【００１２】
支点軸１０の周りにはねじりバネ１３が設けられ、その一端がフレーム１１に掛止され、他端が掛合片７に係着され、ねじりバネ１３の弾発力で可動電磁片５が待機位置に向けて付勢されている。掛合片７の上端には頭部１４が設けられ、頭部１４と支点軸１０との間に接点開閉機構６と係合するカム部１５が突設されている。なお、この実施形態の電磁引外し装置３は、頭部１４にバイメタル片１６が当接する当接部１７を備え、電路に過電流が流れたときに、バイメタル片１６で掛合片７を回動し、接点開閉機構６を開放動作させるようになっている。
【００１３】
上記構成の電磁引外し装置３において、導体２に正常値の電流が流れているときには、図２に示すように、可動電磁片５が待機位置に配置され、掛合片７の頭部１４がフレーム１１のストッパ１８に当接し、掛合片７のカム部１５が接点開閉機構６に係合し、回路遮断器の接点（図示略）が閉じた状態に保持されている。この状態で、導体２に短絡電流が流れると、図３に示すように、可動電磁片５が固定電磁片４に吸引され、カム部１５が接点開閉機構６から解離され、接点開閉機構６が接点を開いて電路を遮断する。
【００１４】
電路が遮断されると、固定電磁片４が消磁し、可動電磁片５がねじりバネ１３によって待機位置に復帰する（図２参照）。このとき、可動電磁片５を掛合片７と兼用のバネ１３で復帰させるので、専用の復帰バネを省いて、部品点数を削減できる。また、待機位置では、可動電磁片５が固定電磁片４から離れ、掛合片７がねじりバネ１３でストッパ１８に押し付けられた状態で静止しているため、固定電磁片４から掛合片７への振動伝播を遮断して、うなり音を防止できる。そのうえ、可動電磁片５、支点軸１０、ねじりバネ１３およびカム部１５を掛合片７の長手方向に配列したので、電磁引外し装置３の全体をコンパクトに構成し、遮断器ケース１の限られたスペースに容易に設置できるという利点もある。
【００１５】
なお、図１に一基の電磁引外し装置３を示したが、回路遮断器の極数に応じて、二基または３基の引外し装置３を遮断器ケースの内部に並設することができる。その他、本発明の電磁引外し装置は、上記実施形態に限定されるものではなく、例えば、バイメタル片１６を装備しない回路遮断器に適用したり、ねじりバネ１３に代えて板バネを使用したりするなど、発明の趣旨を逸脱しない範囲で、各部の構成や形状を適宜に変更して実施することも可能である。
【符号の説明】
【００１６】
１    遮断器ケース
２    導体
３    電磁引外し装置
４    固定電磁片
５    可動電磁片
６    接点開閉機構
７    掛合片
１３    ねじりバネ
１５    カム部
【図１】
0006030934.tif 000002
【図２】
0006030934.tif 000003
【図３】
0006030934.tif 000004
【図４】
0006030934.tif 000005